(57)【要約】      （修正有）【課題】脱着しやすく、動きやすいマナーパンツを提供する。【解決手段】首部は、首にかけるゴム入りの丸首襟を有し、胸あて腹あてが胸部と腹部を覆い、後足の間を通して背中までを覆い、尾が出るように丸く穴を開ける。【選択図】図１
0003181679.tif 000002
【実用新案登録請求の範囲】
【請求項１】
首部から前足の間を通って胸あて腹あてで胸部腹部を覆い、後足の間を通し尾の部分に穴をあけ背中まで覆う。脱着しやすい様に首部にゴムを入れ、背中にもゴムを入れ両わき腹をマジックテープで固定させる。
ゴムで首まわりを密着させることでパンツがずれたり脱げたりする事が防げ、また腹部にもゴムを入れる事で脱着しやすく動きやすいことを特徴とするマナーパンツ。
また、生地で毛の少ない胸部腹部を覆う事でダニや土壌菌、冷えなどから犬を守ることができる。
【考案の詳細な説明】
【技術分野】
【０００１】  本考案は、犬の腹部をダニ、土壌菌、冷えなどから守る胸あて腹あてがついた、生理用ナプキン、外出用マナーパッドをつけて着るパンツに関するものである。
【背景技術】
【０００２】  外出、生理用のマナーパッドやナプキンをつけてはくパンツやマナーベルトは、洋服やその場所が汚れてしまうのを防ぐ為に以前から存在し使われているが、腹部に巻くだけのものや、腹部で固定するものはすぐにずれたり脱げてしまったりする。また胸部腹部が露出していることで、外出先でのダニや土壌菌の付着、生理時の冷えなどの問題があった。
【考案の概要】
【考案が解決しようとする課題】
【０００３】  解決しようとする問題点は、従来のマナーベルトやマナーパンツなどは、腹部に巻いたり固定をするため、ずれたり脱げてしまう。また胸部腹部が露出している事で腹が冷えたり、虫や菌などが付着しやすい点である。
【課題を解決するための手段】
【０００４】  本考案は、マナーパッドやナプキンなどをつけたパンツがずれたり脱げないよう、首部にゴムを入れ首まわりを密着させることで、脱着が容易で動きやすく、また腹部にもゴムとマジックテープを使用する事で、犬の身体を圧迫しないことを最も主要な特徴とする。
また胸あて腹あてがついているので、胸部腹部を虫や菌、冷えから犬を守ることができる。
【考案の効果】
【０００５】  本考案のマナーパンツは、ゴムとマジックテープを使う事でことで、多少の体重の増減にも問題なく着る事ができる。
【図面の簡単な説明】
【０００６】
【図１】マナーパンツの着用方法を示した説明図である。
【図２】マナーパンツの平面図である。
【考案を実施するための形態】
【０００７】  胸あて腹あて付きマナーパンツにゴムとマジックテープを使う事で、脱着しやすく動きやすさを損なわず、脱げたりずれたりしないという目的を実現させた。
【実施例１】
【０００８】  図１はマナーパンツの着用図であって、首部１、背中２はゴムを使用する。両脇腹３はマジックテープを使用する。【０００９】  犬の頭から首に首部１を通し、生地を前足の間に通し胸あて腹あてを胸部腹部にあて、汚れが付く箇所にパッド、ナプキンを付ける。さらに生地を後ろ足の間を通し、尾の部分に穴を開け、尾を通す。生地を背中から脇腹に向けてかぶせ、脇腹をマジックテープで固定する。
【産業上の利用可能性】
【００１０】  外出時や生理時など、性別問わず様々な時、場所で着用できる。また、表地に汚れにくい撥水加工の施した布を使い、裏地に夏はネットなど通気性の良いものを使い、冬はフリース、起毛のウールなど温かいものを使うなど、季節にあわせて着ることもできる。
【符号の説明】
【００１１】１    ゴム
２    ゴム
３    マジックテープ
【図１】
0003181679.tif 000003
【図２】
0003181679.tif 000004
【手続補正書】
【提出日】平成24年11月13日(2012.11.13)
【手続補正１】
【補正対象書類名】実用新案登録請求の範囲
【補正対象項目名】全文
【補正方法】変更
【補正の内容】
【実用新案登録請求の範囲】
【請求項１】
首部にゴムの入った丸首襟を頭から被り首にかけ、胸あて腹あてを前足の間に通し胸部腹部を覆い後足の間を通し、尾が出るように丸く穴をあけ背中まで覆う。
胸あて腹あてが付いている事で胸部腹部の汚れや冷えを防ぎ、また、ゴムで首まわり、両後足の付け根まわり、背部を密着させ、両脇腹に面ファスナーを使う事で脱着の際の煩わしさを軽減し、パンツが脱げず横漏れを防ぎ、且つ犬の体を締め付けない事を特徴とするマナーパンツ。
【手続補正２】
【補正対象書類名】明細書
【補正対象項目名】全文
【補正方法】変更
【補正の内容】
【考案の詳細な説明】
【技術分野】
【０００１】  本考案は、犬の腹部をダニ、土壌菌、冷えなどから守る胸あて腹あてがついた、生理用ナプキン、外出用マナーパッドをつけて着るパンツに関するものである。
【背景技術】
【０００２】  外出、生理用のマナーパッドやナプキンをつけてはくパンツやマナーベルトは、洋服やその場所が汚れてしまうのを防ぐ為に以前から存在し使われているが、腹部に巻くだけのものや、腹部で固定するものは犬の体を締め付けたり、動いたりするとすぐにずれたり脱げてしまう事が多かった。また胸部腹部が露出している事で、外出先でのダニや土壌菌の付着、冷えなどの問題があった。
【考案の概要】
【考案が解決しようとする課題】
【０００３】  解決しようとする問題点は、従来のマナーベルトやマナーパンツなどは、犬の体を締め付けたり、犬が動いたりするとすぐにずれたり脱げてしまう。また胸部腹部が露出している事で腹が冷え、虫や菌などが付着しやすい点である。
【課題を解決するための手段】
【０００４】  本考案は、マナーパッドやナプキンなどをつけたパンツがずれたり脱げたりせず且つ犬の体を締め付ける事のないよう、首部にゴムの入った丸首襟を頭から被り首からかけ、胸あて腹あてで胸部腹部を覆い、背部、両後足付け根まわりにゴムを入れ両脇腹を面ファスナーで密着させることで犬の体を圧迫せず、脱着が容易で動きやすく脱げない事を最も主要な特徴とする。
【考案の効果】
【０００５】  本考案のマナーパンツは、ゴムと面ファスナーを使う事で、多少の体重増減にも問題なく着る事ができる。
【図面の簡単な説明】
【０００６】
【図１】マナーパンツの着用方法を示した説明図である。
【図２】マナーパンツの平面図である。
【考案を実施するための形態】
【０００７】  胸あて腹あて付きマナーパンツにゴムと面ファスナーを使う事で、脱着しやすく動きやすさを損なわず、脱げたりずれたりしないという目的を実現させた。
【実施例１】
【０００８】  図１はマナーパンツの着用図であって、首部１、背中２、両後足付け根まわり４はゴムを使用する。両脇腹３は面ファスナーを使用する。【０００９】  犬の頭から首部１を通し首にかけ、生地を前足の間に通し胸あて腹あてを胸部腹部にあて、汚れが付く箇所にパッド、ナプキンを付ける。さらに生地を後ろ足の間４を通し、尾の付け根まわりを丸く開けた穴に尾を通す。生地を背中から脇腹に向けてかぶせ、両脇腹を面ファスナーで固定する。
【産業上の利用可能性】
【００１０】  外出時や生理時など、性別問わず様々な時、場所で着用できる。また、表地に汚れにくい撥水加工を施した布を使い、裏地に夏はネットなど通気性の良いものを使い、冬はフリース、起毛のウールなど温かいものを使うなど、季節にあわせて使う事もできる。
【符号の説明】
【００１１】  １    ゴム
２    ゴム
３    面ファスナー
４    ゴム
【手続補正３】
【補正対象書類名】図面
【補正対象項目名】全図
【補正方法】変更
【補正の内容】
【図１】
0003181679.tif 000005
【図２】
0003181679.tif 000006